(57)【要約】      （修正有）【課題】小さな力で記憶媒体を破壊できるだけでなく、破壊後の記憶媒体の取り外し動作を容易に行うことができ、穿孔部材の記憶媒体への食い込みを解除しやすい記憶媒体破壊装置を提供する。【解決手段】記憶媒体破壊装置１０は、記憶媒体を保持する保持手段２０と、保持手段により保持された記憶媒体に対向配置された穿孔部材３０と、保持手段を、初期位置から穿孔部材が記憶媒体に穴を形成可能な位置に至るまで付勢可能な第１付勢手段４０と、第１付勢手段によって付勢された保持手段に対して、穿孔部材から離れる方向に付勢可能な第２付勢手段５０と、を有する。【選択図】図１
2009146546.tif 000002
【特許請求の範囲】
【請求項１】
記憶媒体を保持する保持手段と、
前記保持手段により保持された前記記憶媒体と対向して配置された穿孔部材と、
前記保持手段を、初期位置から前記穿孔部材が前記記憶媒体に穴を形成可能な位置に至るまで付勢可能な第１付勢手段と、
前記第１付勢手段によって付勢された前記保持手段を、前記穿孔部材から離れる方向に付勢可能な第２付勢手段と、を有する構成としたこと
を特徴とする記憶媒体破壊装置。
【請求項２】
前記第２付勢手段は、前記第１付勢手段によって付勢された前記保持手段に対して、前記穿孔部材から離れる方向に弾性力を加える弾性部材を有することを特徴とする請求項１に記載の記憶媒体破壊装置。
【請求項３】
前記第２付勢手段は、前記第１付勢手段によって付勢された前記保持手段を、前記穿孔部材から離れる方向に移動させる移動手段を有することを特徴とする請求項１又は請求項２に記載の記憶媒体破壊装置。
【請求項４】
前記穿孔部材は、装置本体の上部において着脱自在に固定される１以上のポンチであることを特徴とする請求項１乃至請求項３のうち、いずれか１に記載の記憶媒体破壊装置。
【請求項５】
前記第１付勢手段は、油圧ジャッキであることを特徴とする請求項１乃至請求項４のうち、いずれか１に記載の記憶媒体破壊装置。
【発明の詳細な説明】
【技術分野】
【０００１】
本発明は、ハードディスク駆動装置、メモリ、各種ディスクその他の記憶媒体を破壊するための記憶媒体破壊装置に関する。
【背景技術】
【０００２】
パーソナルコンピュータ、携帯電話、ＰＤＡその他の情報機器は、そのライフサイクルの短さから、新規機種に移行する必要がしばしば生じる。このような場合に、情報漏洩防止の観点から、内蔵された記憶媒体に記憶済みの情報を消去するだけでなく、記憶媒体を物理的に破壊することが好ましい。このため、従来より記憶媒体を破壊する破壊装置手段が種々提案されており（例えば特許文献１参照）、保持手段によって記憶媒体をケースごと保持・固定するとともに、この固定された記憶媒体に向かってピンを上昇移動させ、このピンを記憶媒体に貫通するもが多かった。
【０００３】
【特許文献１】登録実用新案第３１０８８３４号明細書
【発明の開示】
【発明が解決しようとする課題】
【０００４】
しかしながら、記憶媒体のケース自体は硬質材料で形成される場合が多いため、従来の破壊装置により、ケースごと記憶媒体の破壊作業を行うと、ピンが記憶媒体に食い込んだまま、記憶媒体からピンが外れ難くなることがある。したがって、ピンを取り外すためには手作業で行う必要があり、これには時間を要するだけでなく、取り外しのために大きな労力を必要とし、作業効率が悪いものであった。
【０００５】
また、従来の破壊装置は、ピンを駆動装置側に取り付けて、ピンを移動させる構成が多いが、これではピンの固定の強度が弱まり、ピンが倒れてしまい、破壊作業を失敗する場合もある。さらに、記憶媒体の大きさによっては、同時に複数の貫通孔を設けることが作業効率の上で効果的であるが、ピンの固定の強度が弱いと、複数のピンが記憶媒体に当接したときに互いに離れる方向に倒れてしまうことが考えられ、記憶媒体が大きい場合の破壊作業には不適なものであった。
【０００６】
そこで本発明は、短時間で簡便かつ確実に記憶媒体を破壊することができるとともに、破壊後も容易に記憶媒体を取り出して廃棄することのできる記憶媒体破壊装置を提供することを目的とする。さらに、本発明の目的は、剛性が高く、又は、内部構造が複雑な記憶媒体であっても、小さな力で短時間に確実に記憶媒体を破壊することができるとともに、破壊後に容易に記憶媒体を取り出して廃棄することのできる記憶媒体破壊装置を提供することにある。
【課題を解決するための手段】
【０００７】
上記課題を解決するために、本発明の記憶媒体破壊装置においては、記憶媒体を保持する保持手段と、前記保持手段により保持された前記記憶媒体と対向して配置された穿孔部材と、前記保持手段を、初期位置から前記穿孔部材が前記記憶媒体に穴を形成可能な位置に至るまで付勢可能な第１付勢手段と、前記第１付勢手段によって付勢された前記保持手段を、前記穿孔部材から離れる方向に付勢可能な第２付勢手段と、を有する構成としたことを特徴とする。
【０００８】
本発明の記憶媒体破壊装置において、前記第２付勢手段は、前記第１付勢手段によって付勢された前記保持手段に対して、前記穿孔部材から離れる方向に弾性力を加える弾性部材を有することを特徴とする。
【０００９】
本発明の記憶媒体破壊装置において、前記第１付勢手段によって付勢された前記保持手段を、前記穿孔部材から離れる方向に移動させる移動手段を有することを特徴とする。
【００１０】
本発明の記憶媒体破壊装置において、前記穿孔部材は、装置本体の上部において着脱自在に固定される１以上のポンチであることを特徴とする。
【００１１】
本発明の記憶媒体破壊装置において、前記第１付勢手段は、油圧ジャッキであることを特徴とする。
【発明の効果】
【００１２】
本発明によると、破壊後の記憶媒体の取り外し動作を容易に行うことができるとともに、第２付勢手段によって穿孔部材の記憶媒体への食い込みを速やかに解除することができる。よって、小さな力で短時間に確実に記憶媒体を破壊することができるだけでなく、破壊後も容易に記憶媒体を取り出して廃棄することのできる記憶媒体破壊装置を提供することができる。したがって本発明の記憶媒体破壊装置は、特に、剛性が高く、又は、内部構造が複雑な記憶媒体の破壊処理に向いており、小さな力で短時間に確実に記憶媒体を破壊することができるとともに、破壊後に容易に記憶媒体を取り出して廃棄することができる。また、装置全体を簡易な構成としたことにより、製造コストの増大を防ぐことが可能となる。
【発明を実施するための最良の形態】
【００１３】
以下、本発明の実施形態に係る記憶媒体破壊装置について図面を参照しつつ詳しく説明する。図１は、本発明に係る記憶媒体破壊装置の外観構成を一部破断して示す斜視図、及び、移動手段を作動させた状態の一部拡大図、図２は、本発明に係る記憶媒体破壊装置において、第１付勢手段による付勢をしていない状態における正面図、図３は、本発明に係る記憶媒体破壊装置の上部の構成を示す平面図である。
【００１４】
図１又は図２に示すように、本実施形態に係る記憶媒体破壊装置１０は、略箱形に形成された装置本体１１内に配置された、保持手段２０と、穿孔部材３０と、油圧ジャッキ４０（第１付勢手段）と、移動手段５０（第２付勢手段）と、弾性部材６０（第２付勢手段）と、を有する。本実施形態に係る記憶媒体破壊装置１０は、保持手段２０によって保持された記憶媒体７０を、油圧ジャッキ４０（第１付勢手段）を用いて穿孔部材３０へ付勢し、これにより記憶媒体７０内に穿孔部材３０を刺し込んで穴を形成することにより、記憶媒体７０を破壊するものである。
【００１５】
本実施形態に係る記憶媒体破壊装置１０が破壊の対象とする記憶媒体７０としては、例えば、ハードディスク駆動装置（ＨＤＤ）、メモリ（記憶装置）、ディスク（例えばＣＤ−Ｒ、ＤＶＤ、ブルーレイディスク（登録商標）、ＭＯ、フロッピーディスク（登録商標））、磁気テープ（例えばＤＡＴ（Ｄｉｇｉｔａｌ  Ａｕｄｉｏ  Ｔａｐｅ））等を挙げることができる。特に、ハードディスク駆動装置のようにケースの剛性が高く、かつ、内部構造が複雑なものについては、本実施形態に係る記憶媒体破壊装置１０は好適である。以下に、記憶媒体破壊装置１０の各部材の詳細な構成について説明する。
【００１６】
穿孔部材３０は、例えば３本のポンチ３１、３２、３３から構成される。これらのポンチ３１、３２、３３は、先端が下方向を向くようにしながら、基端を記憶媒体破壊装置１０の装置本体１１の天板１１ａ（図３参照）に着脱自在に固定されており、先端に向かうほど外径が小さくなっていく金属製部材である。図３に示すように、ポンチ３１、３２、３３の互いの位置関係は、上面視において、例えばそれぞれが二等辺三角形の頂点に位置するように、それぞれ離間させるのが好適である。ポンチ３１、３２、３３の記憶媒体破壊装置１０の装置本体１１への固定は、記憶媒体６０の穿孔時の油圧ジャッキ４０（第１付勢手段）による付勢力に耐え得る強度で行えばよく、例えば、装置本体１１の天面１１ａの外側から装置本体１１の内部に向かって先端を挿入し、基端が天面１１ａの外面で係止される構成とするのが特に好適である。
【００１７】
穿孔部材３０は、以上のように構成することによって、ポンチ３１、３２、３３が磨耗したり破損したときに、簡単かつ速やかに交換作業を行うことが可能となる。また、３つのポンチ３１、３２、３３は、第１付勢手段としての油圧ジャッキ４０によって連動するものではなく、装置本体１１自体に固定して設けられる構成であるため、ポンチ３１、３２、３３の強固な固定を実現でき、記憶媒体７０の穿孔時において、ふらつきを生じたり、互いに離れる方向に倒れてしまうこともなく、剛性の高い記憶媒体７０であっても、確実に破壊作業を行うことができる。ポンチ３１、３２、３３は、破壊対象物の材質に応じた材質（例えば鋼鉄）によって、破壊に適した長さに形成する。なお、穿孔部材３０の形状、本数及び配置は、記憶媒体７０に対して穴を形成することができれば任意に設定することができ、穿孔部材３０の形状としては、例えば爪状、柱状とすることもできる。また、穿孔部材３０により記憶媒体７０に形成する穴は、記憶媒体７０を完全に貫通する貫通孔である場合に限られず、記憶媒体７０が再び機能することがないようにするための凹みとしての穴であってもよい。
【００１８】
保持手段２０は、一例として、記憶媒体７０を載置する積置台２１と、積置台２１の上面側に対向配置される天面２２と、で構成し、積置台２１及び天面２２が一緒に、装置本体１１の内面で上下方向にスライド移動が可能になっている。なお、積置台２１及び天面２２は一体であっても別体であってもよい。天面２２は、ポンチ３１、３２、３３がそれぞれ挿通可能な挿通孔２２ａ、２２ｂ、２２ｃ（図１参照）が形成されており、記憶媒体７０の穿孔時においては、ポンチ３１、３２、３３が、天面２２の挿通孔２２ａ、２２ｂ、２２ｃを通って、積置台２１に積置された記憶媒体７０に至り、穴を形成することができるようになっている。換言すれば、積置台２１（保持手段）の上に積置（保持）された記憶媒体７０と対向して配置されたポンチ３１、３２、３３（穿孔部材）が、天面２２の挿通孔２２ａ、２２ｂ、２２ｃを通って、記憶媒体７０に穴を形成することが可能となっている。積置台２１と天面２２との間隙は、破壊する記憶媒体７０の大きさや、油圧ジャッキ４０の付勢によるスライド移動可能な長さなどを考慮しながら、短い長さを設定するのが好適である。
【００１９】
なお、本実施形態では、保持手段２０を積置台２１及び天面２２とで構成し、天面２２には、ポンチ３１、３２、３３のそれぞれが挿通可能な挿通孔２２ａ、２２ｂ、２２ｃを形成したものを説明したが、本発明の保持手段としては、このような構成に限定されるものではない。例えば、記憶媒体７０を積置可能な積置台２１のみで構成するようにしてもよく、この場合、後述の移動手段５０（トグルクランプ）の軸部５０ｂの下端が、記憶媒体７０に直接当接するようにすればよい。または、図１において仮想線で示した部位に挿通孔２２ｄを形成し、後述の移動手段５０（トグルクランプ）の軸部５０ｂの下端が、挿通孔２２ｄを通って、記憶媒体７０に直接当接するようにしてもよい。
【００２０】
第２付勢手段としての弾性部材６０は、保持手段２０を初期位置に保持するために、第１付勢手段としての油圧ジャッキ４０（第１付勢手段）によって付勢された保持手段２０に対して、ポンチ３１、３２、３３（穿孔部材）から離れる方向に弾性力を加えるものである。ここで、保持手段２０の初期位置とは、穿孔部材３０（ポンチ３１、３２、３３）が、保持手段２０に保持されている記憶媒体７０に接触しない位置である（図１及び図２参照）。弾性部材６０は、より具体的には、弾性力によって積置台２１を初期位置に保持する、例えば２本の引っ張りコイルバネ６０Ｌ、６０Ｒ（弾性部材）からなり、引っ張りコイルバネ６０Ｌ、６０Ｒのそれぞれ一端は、装置本体１１の内面に係止され、他端は、保持手段２０（特に積置部２１の下面）に係止されている（図２参照）。この構成においては、引っ張りコイルバネ６０Ｌ、６０Ｒの弾性力によって積置台２１は下方向に付勢され、保持手段２０の全体としても下方向に付勢される。
【００２１】
第２付勢手段としての弾性部材６０を上記のように構成したことにより、油圧ジャッキ４０（第１付勢手段）の付勢によって、保持手段２０に保持された記憶媒体７０が上昇した場合、油圧ジャッキ４０（第１付勢手段）の付勢とは反対方向に弾性力が加えられ、その結果、記憶媒体７０に対するポンチ３１、３２、３３（穿孔部材）の刺し込み操作（破壊操作）が急激に行われてしまうことを防ぐことができ、押し込み位置の確認及び調整しながら慎重に作業を行うことが可能となる。特に穿孔部材が本実施形態のように複数本のポンチからなる場合、記憶媒体７０に対してポンチ３１、３２、３３（穿孔部材）が刺し込まれて穴が形成されたときに、油圧ジャッキ４０（第１付勢手段）による付勢を解除しても、記憶媒体７０にポンチ３１、３２、３３（穿孔部材）が食い込んだまま外れない事態が生ずることがあるが、本発明では第２付勢手段としての弾性部材６０による弾性力によってポンチ３１、３２、３３（穿孔部材）の記憶媒体７０への食い込みを速やかに解除することが可能となり、破壊後の処理を円滑に行うことができる。
【００２２】
なお、弾性力によって保持手段２０を初期位置に保持することができれば、引っ張りコイルバネ６０Ｌ、６０Ｒに代わる弾性部材（例えば、板バネ、ゴム）を用いることもできる。また、引っ張りバネの本数及び配置は、保持手段２０が初期位置にバランスよく保持されれば任意に設定することができ、本数は１本でもよく、３本以上であってもよい。
【００２３】
第１付勢手段は、保持手段２０を、初期位置から穿孔部材３０が記憶媒体７０に穴を形成可能な位置に至るまで付勢することができるものであり、例えば、油圧ジャッキ４０で構成するのが好適である。油圧ジャッキ４０は、ジャッキ本体４１及びレバー４２を備える。レバー４２は、支持部４２ａに挿入された状態で上下方向に操作可能とされており、例えば、下方向に押し下げることによってジャッキ本体４１内の油圧を高めることができ、繰り返し押し下げることによってさらに油圧を高めることができる。これに対して、解放バルブ（図に示さず）を開くことによって、高められた油圧を低下させることができる。ジャッキ本体４１の内部には、ジャッキ本体４１内の油圧に応じて昇降可能な軸４１ａ（図４参照）が収容されている。
【００２４】
レバー４２の操作によってジャッキ本体４１内部の油圧が上昇し、この上昇した油圧は、軸４１ａを上昇させ保持手段２０（積置部２１）を上方向（穿孔部材に近づく方向）に付勢する付勢力となる。一方、解放バルブを開いて油圧を低下させると、前記付勢力が解除され、軸４１ａは下降する。軸４１ａの上端部分は、保持手段２０（積置台２１）の下面と当接ないし固定している。解放バルブを開いて油圧を最も低下させた初期状態では、保持手段２０（積置台２１）は、引っ張りコイルバネ６０Ｌ、６０Ｒにより下方に付勢される一方、第１付勢手段としての油圧ジャッキ４０からは上方向の付勢力は受けない。このとき、積置台２１はポンチ３１、３２、３３の先端から十分離間しているため、この状態において、ポンチ３１、３２、３３の先端に触れることなく記憶媒体７０を積置台２１上に載置することができる。
【００２５】
なお、第１付勢手段としては、引っ張りコイルバネ６０Ｌ、６０Ｒの弾性力に抗して保持手段２０ないし記憶媒体７０を上昇させることができるものであれば、油圧ジャッキ以外の手段（例えば、ネジ式のジャッキ）を用いることができる。
【００２６】
第２付勢手段としての移動手段５０は、保持手段２０を初期位置に移動させるために、第１付勢手段としての油圧ジャッキ４０によって付勢された保持手段２０を、穿孔部材３０としてのポンチ３１、３２、３３から離れる方向に移動させるものである。図１乃至図３に示すように、移動手段５０は、例えば、操作部５０ａ（ハンドル）と、軸部５０ｂ（ロッド）と、基台部５０ｃとからなるトグルクランプを用いるのが好適である。基台部５０ｃは、装置本体１１の天板１１ａ（本実施形態では、天板１１ａから立設された固定台１１ｂ）に取り付けられており、操作部５０ａの回動操作に応じて、軸部５０ｂをスライド可能に支持するトグル機構を有し、軸部５０ｂの一端（上端）を押し引きする構成となっている。装置本体１１の天板１１ａには、ポンチ３１、３３の配置位置の略中央部に貫通部（図に示さず）が形成されており、軸部５０ｂの他端（下端）は、装置本体１１の天板１１ａを上下方向（図１又は図２の上下方向、図３の紙面に対して垂直方向）に貫くようにして前記貫通部を通って装置本体１１の内部に介挿されている。したがって、軸部５０ｂは、操作部５０ａを上下に回動することによって、昇降可能となっている。軸部５０ｂの下端は、操作部５０ａが初期状態にあるとき（図１全体斜視図参照）、ポンチ３１、３２、３３の先端（下端）よりも上方に位置しており、一方、操作部５０ａが下方に回動された状態にあるとき（図１一部拡大図参照）、ポンチ３１、３２、３３の先端（下端）と同じ位置又は下方に位置するように設定する。
【００２７】
第２付勢手段としての移動手段５０を以上のように構成することによって、保持手段２０が、油圧ジャッキ４０による付勢を受けて上方向に移動した時の位置にある状態において、操作部５０ａを初期状態から下方に回動させて軸部５０ｂを降ろすと（図１一部拡大図参照）、軸部５０ｂの下端が保持手段２０（天面２２）と当接し、軸部５０ｂ自体が保持手段２０（天面２２）を下方向に付勢することが可能となる。第２付勢手段としての移動手段５０を上記のように構成したことから、記憶媒体７０に対してポンチ３１、３２、３３（穿孔部材）が刺し込まれて穴が形成された後、油圧ジャッキ４０（第１付勢手段）による付勢を解除しても、記憶媒体７０にポンチ３１、３２、３３（穿孔部材）が食い込んだまま外れない事態が生じたときに、本発明では第２付勢手段としての移動手段５０による付勢によって、保持手段２０を、ポンチ３１、３２、３３（穿孔部材）から離れる方向に移動させ、ポンチ３１、３２、３３（穿孔部材）の記憶媒体７０への食い込みを速やかに解除することが可能となる。特に、本実施形態のように、第２付勢部材として弾性部材６０のみならず移動部材５０をも設けておくことにより、仮に弾性部材６０による弾性力によってもポンチ３１、３２、３３（穿孔部材）の記憶媒体７０への食い込みを解除できない場合であっても、移動手段５０による付勢力をもって確実に食い込みを解除でき、破壊後の処理を円滑に行うことができる点で好適である。
【００２８】
記憶媒体破壊装置１０の装置本体１１には、穿孔部材３０（ポンチ３１、３２、３３）による穿孔が行われる部位を外部と遮断するようにして、例えば扉構造の前板（図に示さず）を取り付けるようにしてもよい。前板は、少なくとも穿孔作業状態を確認できる部位を透明部材で構成するのが好適である。
【００２９】
次に、図２及び図４を参照しつつ、記憶媒体破壊装置１０を用いた記憶媒体７０の破壊処理の流れについて説明する。ここで、図４は、本発明に係る記憶媒体破壊装置において、第１付勢手段によって付勢した状態を示す平面図である。
【００３０】
まず、図２の状態において記憶媒体７０を積置台２１上に載置する。このとき、油圧ジャッキ４０の油圧は大気圧に等しい状態（非加圧状態）であって、油圧ジャッキ４０による保持手段２０への付勢力は働いていない。したがって、保持手段２０が初期位置にある状態の記憶媒体破壊装置１０に対して、記憶媒体７０を、積置台２１と天面２２との間隙に略平行にスライドさせながら、記憶媒体７０をポンチ３１、３２、３３に接触することなく積置台２１上に載置できる。
【００３１】
つづいて、図４に示すように、レバー４２を下方向に押し下げる操作を行うことにより、ジャッキ本体４１内の油圧を上昇させると軸４１ａが上昇する。保持手段２０は引っ張りコイルバネ６０Ｌ、６０Ｒの弾性力によって初期位置に保持されているが、レバー４２の押し下げ操作で油圧ジャッキ４０によって生じる、保持手段２０を上方向へ付勢する力が前記弾性力よりも大きくなると、保持手段２０はさらに上方へ付勢され、これにしたがって、保持手段２０が装置本体１１の内面で上方向へスライド移動し、これに保持されている記憶媒体７０が、ポンチ３１、３２、３３に向かって上方へ移動する。保持手段２０及び記憶媒体７０の移動量は、レバー４２の押し下げ量及び押し下げ回数によって調整する。
【００３２】
さらにレバー４２の操作によって、保持手段２０を上方に移動していくと、保持手段２０及び記憶媒体７０は、さらに上方に移動し、記憶媒体７０がポンチ３１、３２、３３の先端に接触する。この状態では、ポンチ３１、３２、３３から、上方への移動を妨げる力を受けるが、さらにレバー４２を操作すると、記憶媒体７０内にポンチ３１、３２、３３が刺し込まれて穴を形成することができ、記憶媒体７０の破壊が実行される。
【００３３】
破壊が実行された後の記憶媒体７０の取り出しは次のように行う。まず、油圧ジャッキ４０の解放バルブ（図に示さず）を操作して、ジャッキ本体４１内の油圧を低下させる。これにより、ジャッキ本体４１の軸４１ａは下降して、油圧ジャッキ４０による保持手段２０に対する上方向への力が解除される。油圧ジャッキ４０からの付勢力が解除されると、保持手段２０は、引っ張りコイルバネ６０Ｌ、６０Ｒの弾性力によって下方向に付勢され、これに伴って、保持手段２０が装置本体１１の内面で下方向（ポンチ３１、３２、３３から離れる方向）へスライド移動し、記憶媒体７０に刺し込まれているポンチ３１、３２、３３が記憶媒体７０から引き抜かれる。
【００３４】
ここで、記憶媒体７０の剛性、内部構造その他の要因により、引っ張りコイルバネ６０Ｌ、６０Ｒの弾性力だけでは、記憶媒体７０からポンチ３１、３２、３３が食い込んだまま外れない場合には、移動手段５０の操作部５０ａを初期状態から下方に回動することによって軸部５０ｂを下降させて（図１一部拡大図参照）、軸部５０ｂの下端を保持手段２０（天面２２）に当接させ、軸部５０ｂ自体で保持手段２０（天面２２）を下方向に付勢し、手動によって強制的に移動させるようにする。このようにすれば、記憶媒体７０からポンチ３１、３２、３３を確実に外すことができる。
【００３５】
以上の操作によって、初期位置に戻された保持手段２０において、記憶媒体７０を、積置台２１と天面２２との間隙から略平行にスライドさせながら、記憶媒体７０をポンチ３１、３２、３３に接触することなく取り出すことができ、記憶媒体破壊装置１０による破壊作業を終了させることができる。
【００３６】
以上のように構成されたことから、上記実施形態に係る記憶媒体破壊装置１０によれば、次の効果を奏する。
（１）油圧ジャッキ４０を用いて、装置本体１１に固定されたポンチ３１、３２、３３に向けて記憶媒体７０を上昇させて、ポンチ３１、３２、３３を記憶媒体７０に刺し込む構成により、小さな力で破壊処理を行うことのできる小型の記憶媒体破壊装置を提供できる。また、装置全体を簡易な構成としたことにより、製造コストの増大を防ぐことが可能となる。
【００３７】
（２）ポンチ３１、３２、３３が固定されているため、記憶媒体７０の穿孔時において、ふらつきを生じたり、互いに離れる方向に倒れてしまうこともなく、剛性の高い記憶媒体７０であっても、確実に破壊作業を行うことができる。
【００３８】
（３）弾性部材６０（引っ張りコイルバネ６０Ｌ、６０Ｒ）による弾性力によってポンチ３１、３２、３３（穿孔部材）の記憶媒体７０への食い込みを速やかに解除することが可能となり、破壊後の処理を円滑に行うことができる。
【００３９】
（４）弾性部材６０（引っ張りコイルバネ６０Ｌ、６０Ｒ）に加えて、移動手段５０を設けたことにより、移動手段５０による付勢力をもって確実に食い込みを解除でき、破壊後の処理を円滑に行うことができる。
【００４０】
以下に変形例について説明する。上記の実施形態においては、第２付勢手段として、弾性部材６０と移動手段５０との両方を備えた構成のものを説明したが、必ずしも両方を備えるものに限定されず、いずれか一方のみを備える記憶媒体破壊装置として構成してもよい。
【００４１】
また、上記の実施形態において、第２付勢手段としての移動手段５０は、トグルクランプで構成したものを説明したが、保持手段に保持された記憶媒体７０をポンチ３１、３２、３３（穿孔部材）から離れる方向に移動させることができれば、上述の構成以外の手段を用いることもでき、図５を参照して、別の変形例を説明する。図５は、本発明に係る記憶媒体破壊装置（変形例）の外観構成を示す斜視図である。なお、上記実施形態に係る記憶媒体破壊装置１０と共通する機能乃至構成を有するものについては、同一の符号を付してその詳細な説明は省略する。
【００４２】
第２付勢手段としての移動手段１５０は、保持手段２０を初期位置に移動させるために、第１付勢手段としての油圧ジャッキ４０によって付勢された保持手段２０を、穿孔部材３０としてのポンチ３１、３２、３３から離れる方向に移動させるものである。図５に示すように、移動手段１５０は、例えば、圧縮コイルバネ１５１と回転レバー１５２とを有する。回転レバー１５２は、操作部１５２ａ（ハンドル）と軸部１５２ｂとからなり、軸部１５２ｂの一端（上端）に操作部１５２ａが固定されている。装置本体１１の天板１１ａには、ポンチ３１、３２、３３の配置位置の略中央部に貫通部（図に示さず）が形成されており、軸部１５２ｂの他端（下端）は、装置本体１１の天板１１ａを上下方向（図５の上下方向）に貫くようにして前記貫通部を介して装置本体１１の内部に至っており、軸部１５２ｂの外周に形成されたネジ溝が、天板１１ａの貫通部の内周に形成されたネジ溝に噛み合うように配置されている。これにより、操作部１５２ａを把持して回転（時計周り、又は、反時計回りに回転）することによって、軸部１５２ｂが、ネジ溝にしたがって昇降可能となっている。回転レバー１５２の軸部１５２ｂは圧縮コイルバネ１５１内に介挿されている。圧縮コイルバネ１５１は、上端が、回転レバー１５２の軸部１５２ｂ及び／又は天板１１ａの内面に係止されている。一方、圧縮コイルバネ１５１の下端は、自然状態において、軸部１５２ｂの下端よりも下方に位置している。さらに、圧縮コイルバネ５１の下端は、ポンチ３１、３２、３３の先端（下端）よりも下方に位置し、保持手段２０（天面２２）と当接している。
【００４３】
第２付勢手段としての移動手段１５０を以上のように構成することによって、保持手段２０が、油圧ジャッキ４０による付勢を受けて上方向に移動した時の位置にある状態において、回転レバー１５２の操作部１５２ａを操作し、軸部１５２ｂを降ろすと、軸部１５２ｂに係止されている圧縮コイルバネ１５１が圧縮され、保持手段２０（天面２２）を下方向に付勢する弾性力が加えられる。さらに、続けて操作部１５２ａを操作し、軸部１５２ｂを降ろすと、軸部１５２ｂの下端が保持手段２０（天面２２）と当接し、軸部１５２ｂ自体が保持手段２０（天面２２）を下方向に付勢することが可能となる。
【００４４】
なお、移動手段１５０は、圧縮コイルバネ１５１と回転レバー１５２とを有する構成のものを説明したが、さらに、上記の構成において、回転レバー１５２のみからなるものとして構成してもよい。
【００４５】
本発明について上記実施形態を参照しつつ説明したが、本発明は上記実施形態に限定されるものではなく、改良の目的または本発明の思想の範囲内において改良または変更が可能である。
【図面の簡単な説明】
【００４６】
【図１】本発明に係る記憶媒体破壊装置の外観構成を一部破断して示す斜視図、及び、移動手段を作動させた状態の一部拡大図である。
【図２】本発明に係る記憶媒体破壊装置において、第１付勢手段による付勢をしていない状態における正面図である。
【図３】本発明に係る記憶媒体破壊装置の上部の構成を示す平面図である。
【図４】本発明に係る記憶媒体破壊装置において、第１付勢手段によって付勢した状態を示す平面図である。
【図５】本発明に係る記憶媒体破壊装置（変形例）の外観構成を示す斜視図である。
【符号の説明】
【００４７】
１０      記憶媒体破壊装置
１１      装置本体
１１ａ    天板
１１ｂ    固定台
２０      保持手段
２１      積置台
２２      天面
２２ａ    挿通孔
２２ｂ    挿通孔
２２ｃ    挿通孔
２２ｄ    挿通孔
３０      穿孔部材
３１      ポンチ
３２      ポンチ
３３      ポンチ
４０      油圧ジャッキ（第１付勢手段）
４１      ジャッキ本体
４１ａ    軸
４２      レバー
４２ａ    支持部
５０      移動手段（第２付勢部材）（トグルクランプ）
５０ａ    操作部
５０ｂ    軸部
５０ｃ    基台部
６０      弾性部材（第２付勢部材）
６０Ｌ    引っ張りコイルバネ
６０Ｒ    引っ張りコイルバネ
７０      記憶媒体
１００    記憶媒体破壊装置
１５０    移動手段（第２付勢部材）
１５１    圧縮コイルバネ
１５２    回転レバー
１５２ａ  操作部
１５２ｂ  軸部
【図１】
2009146546.tif 000003
【図２】
2009146546.tif 000004
【図３】
2009146546.tif 000005
【図４】
2009146546.tif 000006
【図５】
2009146546.tif 000007